(57)【要約】【課題】ファンクション間の入出力関係の整合性を一見して把握させ、正確なファンクションの定義を支援できる開発支援装置、開発支援方法及び開発支援プログラムを提供すること。【解決手段】開発支援装置１は、ファンクションポイント法におけるファンクション間の入出力関係を含むファンクションデータを受け付ける受付部１１と、ファンクションデータを記憶するファンクションＤＢ２１と、要求に応じてファンクションデータを抽出し、入出力関係をレイアウトしたダイアグラムを含む表示データを生成する生成部１２と、表示データに基づいて画面出力を行う出力部１３と、を備える。【選択図】図１
2011107970.tif 000002
【特許請求の範囲】
【請求項１】
開発対象ソフトウェアについて、ファンクションポイント法におけるファンクション間の入出力関係を含むファンクションデータを受け付ける受付手段と、
前記受付手段により受け付けた前記ファンクションデータを記憶する記憶手段と、
要求に応じて、前記記憶手段により記憶されている前記ファンクションデータを抽出し、前記入出力関係をレイアウトしたダイアグラムを含む表示データを生成する生成手段と、
前記生成手段により生成された前記表示データに基づいて、画面出力を行う出力手段と、を備える開発支援装置。
【請求項２】
前記受付手段は、前記開発対象ソフトウェアの入出力に係る視認可能な入出力媒体と前記ファンクションとの入出力関係を、前記ファンクションデータの一部としてさらに受け付ける請求項１に記載の開発支援装置。
【請求項３】
前記生成手段は、少なくとも１つの前記ファンクションの選択を受け付け、当該選択を受け付けたファンクション、及びその前後の入出力に係るファンクションからなるダイアグラムを含む表示データを生成する請求項１又は請求項２に記載の開発支援装置。
【請求項４】
前記生成手段は、前記記憶手段により記憶されている前記ファンクションデータを参照し、論理ファイルと、当該論理ファイルの入力及び出力に係るトランザクションファンクションとを関連付けたファンクション関連一覧を、前記表示データとしてさらに生成する請求項１から請求項３のいずれかに記載の開発支援装置。
【請求項５】
前記受付手段は、前記ファンクションデータを、複数の業務区分毎に受け付け、
前記記憶手段は、前記受付手段により受け付けた前記ファンクションデータを、前記業務区分毎に記憶し、
前記生成手段は、前記業務区分毎のダイアグラムを含む表示データを生成する請求項１から請求項４のいずれかに記載の開発支援装置。
【請求項６】
前記生成手段は、前記記憶手段により記憶されている前記ファンクションデータを参照し、論理ファイルと、当該論理ファイルの入力及び出力に係る前記業務区分とを関連付けた業務区分関連一覧を、前記表示データとしてさらに生成する請求項５に記載の開発支援装置。
【請求項７】
前記生成手段は、前記業務区分関連一覧に基づいて、前記業務区分間の前記論理ファイルに対する入出力関係をレイアウトした関連図を、前記表示データとしてさらに生成する請求項６に記載の開発支援装置。
【請求項８】
開発対象ソフトウェアについて、ファンクションポイント法におけるファンクション間の入出力関係を含むファンクションデータを受け付ける受付ステップと、
前記受付ステップにより受け付けた前記ファンクションデータを記憶する記憶ステップと、
要求に応じて、前記記憶ステップにより記憶されている前記ファンクションデータを抽出し、前記入出力関係をレイアウトしたダイアグラムを含む表示データを生成する生成ステップと、
前記生成ステップにより生成された前記表示データに基づいて、画面出力を行う出力ステップと、をコンピュータが実行する開発支援方法。
【請求項９】
開発対象ソフトウェアについて、ファンクションポイント法におけるファンクション間の入出力関係を含むファンクションデータを受け付ける受付ステップと、
前記受付ステップにより受け付けた前記ファンクションデータを記憶する記憶ステップと、
要求に応じて、前記記憶ステップにより記憶されている前記ファンクションデータを抽出し、前記入出力関係をレイアウトしたダイアグラムを含む表示データを生成する生成ステップと、
前記生成ステップにより生成された前記表示データに基づいて、画面出力を行う出力ステップと、をコンピュータに実行させる開発支援プログラム。
【発明の詳細な説明】
【技術分野】
【０００１】
本発明は、ソフトウェア開発の範囲特定を支援する開発支援装置、開発支援方法及び開発支援プログラムに関する。
【背景技術】
【０００２】
従来、ソフトウェアの開発において、見積り手法の１つであるファンクションポイント法が用いられている。ファンクションポイント法では、機能（データファンクション又はトランザクションファンクション）毎の複雑さに応じたファンクションポイントを求めて、全体の開発工数を算定する。
【０００３】
このとき、開発工程における実際の各作業者の経験やスキルに依存して、開発工数には、ばらつきが生じる。そこで、各種誤差を考慮して、見積り精度の向上を図る技術が提案されている（例えば、特許文献１参照）。
【先行技術文献】
【特許文献】
【０００４】
【特許文献１】特開２００９−４８２８７号公報
【発明の概要】
【発明が解決しようとする課題】
【０００５】
ところで、ファンクションポイント法によって適切に見積りを行うためには、開発範囲を特定し、各ファンクションや、ファンクション間の関連性を正確に定義する必要がある。特に、ファンクションへの入力やファンクションからの出力に漏れがあると、ソフトウェアとして不完全であるため、適切な見積りとならない。しかしながら、各ファンクション間の入出力関係が正しく定義されているか否かを、定義データにより漏れなく確認することは難しかった。
【０００６】
また、開発範囲を特定するためには、システムフローやプログラムを参照する必要があったが、これらの理解には専門知識を要するため、開発の担当者と開発の依頼主であるユーザとの双方が開発範囲を容易に把握することは難しかった。
【０００７】
本発明は、ソフトウェアの開発範囲、及びファンクション間の入出力関係の整合性を、図示化することにより一見して把握させ、正確なファンクションの定義を支援できる開発支援装置、開発支援方法及び開発支援プログラムを提供することを目的とする。
【課題を解決するための手段】
【０００８】
本発明では、以下のような解決手段を提供する。
【０００９】
（１）開発対象ソフトウェアについて、ファンクションポイント法におけるファンクション間の入出力関係を含むファンクションデータを受け付ける受付手段と、前記受付手段により受け付けた前記ファンクションデータを記憶する記憶手段と、要求に応じて、前記記憶手段により記憶されている前記ファンクションデータを抽出し、前記入出力関係をレイアウトしたダイアグラムを含む表示データを生成する生成手段と、前記生成手段により生成された前記表示データに基づいて、画面出力を行う出力手段と、を備える開発支援装置。
【００１０】
このような構成によれば、開発支援装置は、ファンクション間の入出力関係を含むファンクションデータに基づいて、この入出力関係をレイアウトしたダイアグラムを画面出力する。したがって、開発支援装置は、各ファンクションへの入力や、各ファンクションからの出力の有無及び方向を図示してユーザに提示するので、ソフトウェアの開発範囲と共に、ファンクション間の入出力関係を、ユーザに一見して把握させ、正確にファンクション、及びファンクション間の関連性を定義させるための支援ができる。
【００１１】
（２）前記受付手段は、前記開発対象ソフトウェアの入出力に係る視認可能な入出力媒体と前記ファンクションとの入出力関係を、前記ファンクションデータの一部としてさらに受け付ける（１）に記載の開発支援装置。
【００１２】
このような構成によれば、開発支援装置は、ファンクションポイント法におけるファンクション（データファンクション及びトランザクションファンクション）のみならず、開発対象ソフトウェアとの入出力に係るユーザが視認可能な入出力媒体（ターミネータ：例えば、画面、インタフェースファイル、帳票、電文、トリガー等）と、トランザクションファンクションとの入出力関係をさらに含めたファンクションデータを対象にする。
【００１３】
したがって、開発支援装置は、専門知識が必要となるシステムフローやプログラムをユーザに参照させることなく、ファンクション及びターミネータを用いて開発範囲のデータフローを図示し、開発範囲をユーザに容易に把握させることができる。特に、開発支援装置は、見積りにおける複雑度の算定要素であるアプリケーション境界を跨ぐデータ項目数について、ユーザが認識可能なターミネータ及びデータファンクション（後述の外部インタフェースファイル）を用いて図示できるので、開発範囲をユーザに容易に把握させることができる。
【００１４】
（３）前記生成手段は、少なくとも１つの前記ファンクションの選択を受け付け、当該選択を受け付けたファンクション、及びその前後の入出力に係るファンクションからなるダイアグラムを含む表示データを生成する（１）又は（２）に記載の開発支援装置。
【００１５】
このような構成によれば、開発支援装置は、選択を受け付けた少なくとも１つのファンクションと、これらのファンクションの入出力に係るファンクションからなるダイアグラムを画面出力する。したがって、開発支援装置は、例えば改修対象の機能等の開発範囲として選択されたファンクションを、これらのファンクションと連携する前後のファンクションと共に表示してユーザに提示するので、ユーザは、開発範囲の特定が正しいか否かを容易に判断することができる。
【００１６】
（４）前記生成手段は、前記記憶手段により記憶されている前記ファンクションデータを参照し、論理ファイルと、当該論理ファイルの入力及び出力に係るトランザクションファンクションとを関連付けたファンクション関連一覧を、前記表示データとしてさらに生成する（１）から（３）のいずれかに記載の開発支援装置。
【００１７】
このような構成によれば、開発支援装置は、定義されたファンクションのうち、論理ファイル（データファンクション及びインタフェース）に着目し、この論理ファイルの前後に位置する入出力に係るトランザクションファンクションを関連付けて一覧表示できる。したがって、ユーザは、入力又は出力に係るトランザクションファンクションが存在しない論理ファイルを容易に特定でき、ファンクション定義の正確性を確認することができる。
【００１８】
（５）前記受付手段は、前記ファンクションデータを、複数の業務区分毎に受け付け、前記記憶手段は、前記受付手段により受け付けた前記ファンクションデータを、前記業務区分毎に記憶し、前記生成手段は、前記業務区分毎のダイアグラムを含む表示データを生成する（１）から（４）のいずれかに記載の開発支援装置。
【００１９】
このような構成によれば、開発支援装置は、開発システム（ソフトウェア）のサブシステム（業務区分）毎に、ファンクションデータを受け付けて記憶する。そして、開発支援装置は、この業務区分毎のダイアグラムを画面表示するので、例えば開発部署やチーム毎に、開発範囲内のファンクション定義を確認することができる。
【００２０】
（６）前記生成手段は、前記記憶手段により記憶されている前記ファンクションデータを参照し、論理ファイルと、当該論理ファイルの入力及び出力に係る前記業務区分とを関連付けた業務区分関連一覧を、前記表示データとしてさらに生成する（５）に記載の開発支援装置。
【００２１】
このような構成によれば、開発支援装置は、定義されたファンクションのうち、論理ファイルに着目し、この論理ファイルの前後に位置する入出力に係る業務区分、すなわち、このデータファンクションを作成する業務区分及び参照する業務区分を関連付けて一覧表示できる。したがって、ユーザは、入力又は出力に係る業務区分が存在しない論理ファイルを容易に特定でき、ファンクション定義の正確性を確認することができる。
【００２２】
（７）前記生成手段は、前記業務区分関連一覧に基づいて、前記業務区分間の前記論理ファイルに対する入出力関係をレイアウトした関連図を、前記表示データとしてさらに生成する（６）に記載の開発支援装置。
【００２３】
このような構成によれば、開発支援装置は、論理ファイルの入出力関係に基づいて、業務区分の関連性を図示することができる。したがって、ユーザは、関連図により一見して業務区分の関連性を把握し、ファンクション定義の正確性を確認することができる。
【００２４】
（８）開発対象ソフトウェアについて、ファンクションポイント法におけるファンクション間の入出力関係を含むファンクションデータを受け付ける受付ステップと、前記受付ステップにより受け付けた前記ファンクションデータを記憶する記憶ステップと、要求に応じて、前記記憶ステップにより記憶されている前記ファンクションデータを抽出し、前記入出力関係をレイアウトしたダイアグラムを含む表示データを生成する生成ステップと、前記生成ステップにより生成された前記表示データに基づいて、画面出力を行う出力ステップと、をコンピュータが実行する開発支援方法。
【００２５】
このような構成によれば、開発支援方法をコンピュータが実行することにより、（１）と同様の効果が期待できる。
【００２６】
（９）開発対象ソフトウェアについて、ファンクションポイント法におけるファンクション間の入出力関係を含むファンクションデータを受け付ける受付ステップと、前記受付ステップにより受け付けた前記ファンクションデータを記憶する記憶ステップと、要求に応じて、前記記憶ステップにより記憶されている前記ファンクションデータを抽出し、前記入出力関係をレイアウトしたダイアグラムを含む表示データを生成する生成ステップと、前記生成ステップにより生成された前記表示データに基づいて、画面出力を行う出力ステップと、をコンピュータに実行させる開発支援プログラム。
【００２７】
このような構成によれば、開発支援プログラムをコンピュータに実行させることにより、（１）と同様の効果が期待できる。
【発明の効果】
【００２８】
本発明によれば、ファンクション間の入出力関係の整合性を一見して把握させ、正確なファンクションの定義を支援できる。
【図面の簡単な説明】
【００２９】
【図１】本発明の実施形態に係る開発支援装置の機能構成を示すブロック図である。
【図２】本発明の実施形態に係るＡＦＰ図の画面表示例を示す図である。
【図３】本発明の実施形態に係るファンクションの選択を受け付けた場合のＦＰ図の画面表示例を示す図である。
【図４】本発明の実施形態に係るファンクション関連一覧の画面表示例を示す図である。
【図５】本発明の実施形態に係る業務区分関連一覧の画面表示例を示す図である。
【図６】本発明の実施形態に係る業務関連図の画面表示例を示す図である。
【図７】本発明の実施形態に係る制御部の処理を示すフローチャートである。
【図８】本発明の実施形態に係る制御部の処理を示すフローチャートである。
【発明を実施するための形態】
【００３０】
以下、本発明の実施形態の一例について説明する。本実施形態に係る開発支援装置１は、ファンクションポイント法に基づいて、ソフトウェア開発の工数見積りを行う装置である。なお、開発支援装置１は、ＰＣ（Ｐｅｒｓｏｎａｌ  Ｃｏｍｐｕｔｅｒ）やサーバ等の情報処理装置（コンピュータ）であってよい。
【００３１】
図１は、本実施形態に係る開発支援装置１の機能構成を示すブロック図である。
開発支援装置１は、制御部１０と、記憶部２０と、操作部３０と、表示部４０とを備える。
【００３２】
制御部１０は、開発支援装置１の全体を制御する部分であり、記憶部２０に記憶された各種プログラムを適宜読み出して実行することにより、前述のハードウェアと協働し、本実施形態における各種機能を実現している。制御部１０は、ＣＰＵ（Ｃｅｎｔｒａｌ  Ｐｒｏｃｅｓｓｉｎｇ  Ｕｎｉｔ）であってよい。なお、制御部１０が備える各部の機能は後述する。
【００３３】
記憶部２０は、ハードウェア群を開発支援装置１として機能させるための各種プログラム、及び各種データ等の記憶領域であり、ハードディスクや半導体メモリ等であってよい。具体的には、記憶部２０は、制御部１０に実行させて本実施形態の各部として機能させるプログラムの他、開発対象のソフトウェアのファンクションデータを記憶するファンクションＤＢ（データベース）２１（記憶手段）を格納する。
【００３４】
操作部３０は、開発支援装置１に対するユーザからの指示入力を受け付けるインタフェース装置である。操作部３０は、例えば、キーボード、マウス及びタッチパネル等により構成される。
【００３５】
表示部４０は、ユーザにデータの入力を受け付ける画面を表示したり、開発支援装置１による処理結果の画面を表示したりするものである。ユーザは、表示部４０に表示された画面により、ファンクションポイント法の見積り作業に伴うファンクションを定義又は確認する。表示部４０は、ブラウン管表示装置（ＣＲＴ）や液晶表示装置（ＬＣＤ）等のディスプレイ装置であってよい。
【００３６】
制御部１０は、前述のプログラムを記憶部２０から読み込んで実行することにより、受付部１１（受付手段）、生成部１２（生成手段）及び出力部１３（出力手段）として機能する。
【００３７】
受付部１１は、ファンクションポイント法におけるファンクション間の入出力関係を含むファンクションデータを、ユーザから操作部３０を介して受け付ける。ファンクションは、具体的には、トランザクションファンクションとして、ＥＩ（外部入力）、ＥＯ（外部出力）及びＥＱ（外部照会）、データファンクションとして、ＩＬＦ（内部論理ファイル）及びＥＩＦ（外部インタフェースファイル）の種類がある。
【００３８】
さらに、本実施形態では、データファンクションの他に、開発対象ソフトウェア内のトランザクションファンクションとの入力又は出力となるターミネータを定義する。ターミネータは、例えば、トランザクションファンクションの入力となる日付等の変数（画面入力）や各種トリガー、出力となる画面や帳票や電文、入出力となるインタフェースファイル（データベース）等である。以下、トランザクションファンクションにより作成又は参照されるデータの概念として、データファンクション及びインタフェースファイルをあわせて、論理ファイルと呼ぶ。
【００３９】
また、ファンクションやターミネータの間には、入出力関係が定義されている。具体的には、トランザクションファンクションの前に位置して入力に係るファンクション、及びトランザクションファンクションの後に位置して出力に係るファンクションは、データファンクション又はターミネータであり、データファンクションの前に位置して入力に係るファンクション、及びデータファンクションの後に位置して出力に係るファンクションは、トランザクションファンクションである（図２参照）。
【００４０】
このように、受付部１１は、表示部４０に表示される所定の入力画面に基づいて、開発対象のソフトウェアが有する各ファンクションの複雑さに関するデータと、これらのファンクションの入出力関係を示すデータとをファンクションデータとして受け付ける。そして、受付部１１は、受け付けたファンクションデータを、ファンクションＤＢ２１に記憶する。
【００４１】
なお、受付部１１は、ファンクションデータを、予め設定されている複数の業務区分毎に受け付け、この業務区分毎にファンクションＤＢ２１に記憶する。
【００４２】
生成部１２は、ユーザから操作部３０を介してファンクションデータの出力要求を受け付けると、この要求に応じて、ファンクションＤＢ２１に記憶されているファンクションデータを抽出し、ファンクション及びターミネータの入出力関係をレイアウトしたダイアグラム（以下、ＦＰ図と呼ぶ）を含む表示データを生成する。このとき、生成部１２は、指定された業務区分毎にダイアグラムを含む表示データを生成する。
【００４３】
ここで、ＦＰ図とは、各ファンクション及びターミネータ間を、これらの入出力関係を示す矢印で結んだ図であり、ユーザは、トランザクションファンクションにより参照又は生成される論理ファイルや、論理ファイルを生成又は参照する処理（トランザクション）を確認することができ、この図は、開発範囲又は見積り範囲の特定に利用される。
【００４４】
なお、本実施形態において、入出力関係を示す矢印は、トランザクションファンクションの主たる目的に関係する入力、出力又は入出力を示すものであってよい。例えば、画面入力に応じた処理について、処理結果を画面出力もする場合、主たる目的に関係する画面からの入力のみを表示することとしてよい。
【００４５】
出力部１３は、生成部１２により生成された表示データに基づいて、表示部４０を制御し、画面出力を行う。また、出力部１３は、表示部４０の他、図示しないプリンタやファイル等へ表示データを出力してもよい。
【００４６】
以下、業務区分全体のＦＰ図をＡＦＰ図と呼び、業務区分内で開発保守対象として選択されたファンクション及びターミネータのみを対象とした案件毎のＦＰ図と区別して説明する。
【００４７】
図２は、本実施形態に係るＡＦＰ図の画面表示例を示す図である。この例では、業務区分（サブ業務区分）が「０２  業務２」のファンクション及び入出力関係を示すＡＦＰ図の一部分を示している。図中の破線内が業務区分に含まれるファンクションであり、トランザクションファンクションとして、処理１から処理６が表示され、データファンクションとして、データ１からデータ６が表示されている。また、ターミネータとして、基準日及びデータ１１からデータ１４が表示されている。
【００４８】
例えば、トランザクションファンクションである「処理２」は、「データ２」、「データ３」及び「データ６」を参照し、「データ５」及び「データ６」を生成する。また、データファンクションである「データ４」は、「処理３」により生成され、「処理６」により参照される。
【００４９】
なお、ファンクション毎に機能説明のデータ入力を受付部１１により受け付けてもよい。図２では、生成部１２により機能説明の表示要求を、操作部３０を介して受け付けたことに応じて、「処理３」の機能詳細説明が表示されている。
【００５０】
図３は、本実施形態に係るファンクションの選択を受け付けた場合のＦＰ図の画面表示例を示す図である。
【００５１】
生成部１２は、ファンクションＤＢ２１に記憶されているファンクションデータから、少なくとも１つのファンクションの選択を受け付け、この選択を受け付けたファンクション、及びその前後の入出力に係るファンクション又はターミネータからなるＦＰ図を含む表示データを生成する。
【００５２】
図３の例では、「処理３」、「データ５」及び「処理５」が選択されており、それぞれの画像の左上に「＊」が表示されている。また、これらの選択されたファンクションの前後に位置する入出力に係るファンクションが併せて表示されている。具体的には、例えば、「データ５」と共に、この「データ５」を作成する「処理２」（入力）、及び「データ５」を参照する「処理１」や「処理４」（出力）等が表示されている。さらに、本実施形態では、トランザクションファンクションに付随するターミネータ（［基準日］、「チェックリスト」、「データ１２」、「データ１３」及び「データ１４」）も表示される。
【００５３】
このように、ユーザが認識可能なファンクション及びターミネータを用いてＦＰ図又はＡＦＰ図が表示されることにより、ユーザは、開発範囲や見積り範囲を容易に把握できると共に、ファンクション間の連携の有無を容易に把握することができる。したがって、開発支援装置１は、ユーザに正確にファンクション、及びファンクション間の関連性を定義させるための支援ができる。
【００５４】
また、生成部１２は、ファンクションＤＢ２１により記憶されているファンクションデータを参照し、論理ファイルと、この論理ファイルの入力及び出力に係るトランザクションファンクションとを関連付けたファンクション関連一覧を、表示データとしてさらに生成する。そして、出力部１３は、生成部１２により生成された表示データに基づいて、表示部４０を制御し、画面出力を行う。
【００５５】
図４は、本実施形態に係るファンクション関連一覧の画面表示例を示す図である。
この例では、生成部１２は、操作部３０を介した指示入力に基づいて、業務区分（サブ業務）「０４内部者情報−Ｂ」に係る論理ファイル（ＩＬＦ、ＥＩＦ及びインタフェース）に関連するトランザクションファンクションの一覧を表示データとして生成している。
【００５６】
ここで、「データ２１」から「データ２４」は、作成及び参照の双方のトランザクションファンクションが存在するため、連携されている論理ファイルとして一覧表示されている。
【００５７】
一方、「データ３１」から「データ３３」については、これらを作成するトランザクションファンクションは存在するが、参照するトランザクションファンクションは存在しない。また、「データ４１」から「データ４５」については、これらを参照するトランザクションファンクションは存在するが、作成するトランザクションファンクションは存在しない。したがって、これらは、連携されていない論理ファイルとして一覧表示されている。
【００５８】
このファンクション関連一覧によって、ユーザは、指定範囲（例えば、指定された業務区分内）の論理ファイルについて、トランザクションファンクションとの連携に関する整合性を確認することができる。具体的には、ユーザは、作成されているが利用（参照）されていない論理ファイルや、利用（参照）されているが作成する機能が定義されていない論理ファイルを、容易に特定することができる。
【００５９】
また、生成部１２は、ファンクションＤＢ２１により記憶されているファンクションデータを参照し、論理ファイルと、この論理ファイルの入力及び出力に係る業務区分とを関連付けた業務区分関連一覧を、表示データとしてさらに生成する。そして、出力部１３は、生成部１２により生成された表示データに基づいて、表示部４０を制御し、画面出力を行う。
【００６０】
図５は、本実施形態に係る業務区分関連一覧の画面表示例を示す図である。
この例では、生成部１２は、操作部３０を介した指示入力に基づいて、業務区分（サブ業務）「０４内部者情報−Ｂ」に係る論理ファイル（ＩＬＦ、ＥＩＦ及びインタフェース）に関連する業務区分の一覧を表示データとして生成している。
【００６１】
ここで、「データ２１」から「データ２４」は、作成及び参照の双方の業務区分が存在するため、連携されている論理ファイルとして一覧表示されている。
【００６２】
一方、「データ３１」から「データ３３」については、これらを作成する業務区分は存在するが、参照する業務区分は存在しない。また、「データ４１」から「データ４５」については、これらを参照する業務区分は存在するが、作成する業務区分は存在しない。したがって、これらは、連携されていない論理ファイルとして一覧表示されている。
【００６３】
この業務区分関連一覧によって、ユーザは、指定範囲（例えば、指定された業務区分内）の論理ファイルについて、他の業務区分との連携に関する整合性を確認することができる。具体的には、ユーザは、作成されているが利用（参照）されていない論理ファイルや、利用（参照）されているが作成する機能が定義されていない論理ファイルを、容易に特定することができる。
【００６４】
また、生成部１２は、前述の業務区分関連一覧に基づいて、業務区分間の論理ファイルに対する入出力関係をレイアウトした業務関連図を、表示データとしてさらに生成する。そして、出力部１３は、生成部１２により生成された表示データに基づいて、表示部４０を制御し、画面出力を行う。
【００６５】
図６は、本実施形態に係る業務関連図の画面表示例を示す図である。
この例では、生成部１２は、図中に併せて一部を示している業務区分関連一覧（「連携されている論理ファイル」及び「連携されていない論理ファイル」）に基づいて、業務区分間の入出力関係（作成又は参照）を矢印で表した業務関連図を表示データとして生成している。
【００６６】
ここで、例えば、業務区分「ＢＢＢＢＢ」において作成される論理ファイルが業務区分「ＡＡＡＡＡ」及び「ＣＣＣＣＣ」で参照されていることが図示されている。一方、業務区分「ＤＤＤＤＤ」及び「ＥＥＥＥＥ」からは矢印が出ておらず、連携されている他の業務区分が存在していないことが図示されている。したがって、ユーザは、業務区分「ＤＤＤＤＤ」及び「ＥＥＥＥＥ」において、正しくファンクションが定義されていない可能性があることを容易に把握できる。
【００６７】
図７及び図８は、本実施形態に係る開発支援装置１における制御部１０の処理を示すフローチャートである。この処理は、制御部１０において所定のプログラムが実行されることにより行われる。
【００６８】
ステップＳ１では、制御部１０は、ユーザから入力を受け付けた機能選択がファンクションデータの登録か開発工数の見積りかを判定する。制御部１０は、ファンクションデータの登録が選択されたと判定した場合には、処理をステップＳ２に移し、開発工数の見積りが選択されたと判定した場合には、処理をステップＳ１２に移す。
【００６９】
ステップＳ２では、制御部１０は、ファンクションデータの登録に係る各種機能の選択を受け付け、ステップＳ３、ステップＳ５、ステップＳ７又はステップＳ９へ処理を分岐させる。
【００７０】
ステップＳ３（受付ステップ）では、制御部１０（受付部１１）は、データファンクション（ＤＦ）を定義するデータを、ファンクションデータとして受け付ける。
【００７１】
ステップＳ４（記憶ステップ）では、制御部１０（受付部１１）は、ステップＳ３で受け付けたデータを記憶部２０（ファンクションＤＢ２１）に登録する。
【００７２】
ステップＳ５（受付ステップ）では、制御部１０（受付部１１）は、トランザクションファンクション（ＴＦ）を定義するデータ、このトランザクションファンクションの入出力に係るデータファンクションの選択、及びターミネータの情報を、ファンクションデータとして受け付ける。
【００７３】
ステップＳ６（記憶ステップ）では、制御部１０（受付部１１）は、ステップＳ５で受け付けたデータを記憶部２０（ファンクションＤＢ２１）に登録する。
【００７４】
ステップＳ７（生成ステップ）では、制御部１０（生成部１２）は、ステップＳ４及びステップＳ６で登録されたファンクションデータに基づいて、開発ソフトウェア全体のＡＦＰ図、又は指定された業務区分のＡＦＰ図を示す表示データを生成する。
【００７５】
ステップＳ８（出力ステップ）では、制御部１０（出力部１３）は、ステップＳ７で生成された表示データに基づいて、表示部４０にＡＦＰ図の画面表示を行う。
【００７６】
ステップＳ９では、制御部１０（生成部１２）は、ステップＳ４及びステップＳ６で登録されたファンクションデータに基づいて、ファンクション関連一覧又は業務区分関連一覧の表示データを生成する。
【００７７】
ステップＳ１０では、制御部１０（出力部１３）は、ステップＳ９で生成された表示データに基づいて、表示部４０にファンクション関連一覧又は業務区分関連一覧の画面表示を行う。
【００７８】
ステップＳ１１では、制御部１０は、操作部３０を介したユーザからの指示入力や、制御部１０における他のプログラムからの指示入力等に基づいて、本処理に係るプログラムの実行を終了するか否かを判定する。制御部１０は、この判定がＹＥＳの場合、処理を終了し、判定がＮＯの場合、ステップＳ１に戻って機能選択の入力を受け付ける。
【００７９】
ステップＳ１２では、制御部１０は、開発工数の見積りに係る各種機能の選択を受け付け、ステップＳ１３、ステップＳ１４、ステップＳ１５、ステップＳ１７又はステップＳ１９へ処理を分岐させる。
【００８０】
ステップＳ１３では、制御部１０は、ソフトウェアの改修範囲等、見積り対象となるデータファンクション（ＤＦ）の選択入力を受け付ける。
【００８１】
ステップＳ１４では、制御部１０は、ステップＳ１３と同様に、見積り対象となるトランザクションファンクション（ＴＦ）の選択入力を受け付ける。
【００８２】
ステップＳ１５では、制御部１０（生成部１２）は、ステップＳ４及びステップＳ６で登録されたファンクションデータの中から、ステップＳ１３又はステップＳ１４で選択されたファンクション、及びその前後に位置する入出力に係るファンクションからなる、部分的なＦＰ図を示す表示データを生成する。
【００８３】
ステップＳ１６では、制御部１０（出力部１３）は、ステップＳ１５で生成された表示データに基づいて、表示部４０にＦＰ図の画面表示を行う。
【００８４】
ステップＳ１７では、制御部１０は、ステップＳ１３又はステップＳ１４で選択されたファンクションを見積り対象として、ステップＳ４及びステップＳ６で登録されたファンクションデータに基づいて、ファンクションポイント法による工数見積りを算出する。
【００８５】
ステップＳ１８では、制御部１０は、ステップＳ１７で生成された工数見積りに基づいて、表示部４０に見積り情報の画面表示を行う。
【００８６】
ステップＳ１９では、制御部１０（生成部１２）は、ステップＳ４及びステップＳ６で登録されたファンクションデータに基づいて、同一の論理ファイルを作成又は参照する業務区分の関連性を示す業務関連図の表示データを生成する。
【００８７】
ステップＳ２０では、制御部１０（出力部１３）は、ステップＳ１９で生成された表示データに基づいて、表示部４０に業務関連図の画面表示を行う。
【００８８】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【符号の説明】
【００８９】
１  開発支援装置
１０  制御部
１１  受付部（受付手段）
１２  生成部（生成手段）
１３  出力部（出力手段）
２０  記憶部
２１  ファンクションＤＢ（記憶手段）
３０  操作部
４０  表示部
【図１】
2011107970.tif 000003
【図２】
2011107970.tif 000004
【図３】
2011107970.tif 000005
【図４】
2011107970.tif 000006
【図５】
2011107970.tif 000007
【図６】
2011107970.tif 000008
【図７】
2011107970.tif 000009
【図８】
2011107970.tif 000010